(57)【特許請求の範囲】
【請求項１】
携帯端末の使用制限方法であって、
前記携帯端末に対するユーザの移動操作を検出する検出ステップと、
前記携帯端末に対する前記ユーザの使用を制限する制限ステップと、
前記ユーザの使用が制限され、且つ、前記ユーザの移動停止が検出されている間、質問型コンテンツを再生する再生ステップと、
前記質問型コンテンツに対する前記ユーザの回答が完了した場合、前記質問型コンテンツの再生を終了し、前記制限を解除する解除ステップと、
を含むことを特徴とする使用制限方法。
【請求項２】
請求項１に記載の使用制限方法であって、
前記制限ステップは、前記ユーザの移動操作時間が第１閾値を超えた場合、前記携帯端末に対する前記ユーザの使用を制限する
ことを特徴とする使用制限方法。
【請求項３】
請求項２に記載の使用制限方法であって、
前記解除ステップは、前記質問型コンテンツに対する前記ユーザの回答が完了し、且つ、前記ユーザの移動停止時間が第２閾値を超えた場合、前記質問型コンテンツの再生を終了し、前記制限を解除する
ことを特徴とする使用制限方法。
【請求項４】
請求項３に記載の使用制限方法であって、
前記制限の履歴に基づき、前記第１閾値、前記第２閾値、及び前記質問型コンテンツにおける質問回数の少なくとも一つを設定する条件設定ステップ、
を含むことを特徴とする使用制限方法。
【請求項５】
請求項４に記載の使用制限方法であって、
前記条件設定ステップは、過去における前記制限の回数が多いほど、
前記第１閾値を小さく設定し、
前記第２閾値を大きく設定し、
前記質問型コンテンツにおける質問回数を多く設定する
ことを特徴とする使用制限方法。
【請求項６】
請求項４に記載の使用制限方法であって、
前記制限の履歴をリセットするリセットステップ、
を含むことを特徴とする使用制限方法。
【請求項７】
請求項１〜６のいずれか一項に記載の使用制限方法であって、
前記制限ステップは、前記携帯端末の現状の表示画面を消去するか、または前記表示画面に他の表示を重畳することによって前記ユーザの視認及び操作を制限する
ことを特徴とする使用制限方法。
【請求項８】
請求項１〜７のいずれか一項に記載の使用制限方法であって、
前記制限ステップに先行し、前記ユーザの移動操作が検知された場合、前記ユーザに対して注意喚起を行う注意喚起ステップ、
を含むことを特徴とする使用制限方法。
【請求項９】
携帯端末に対するユーザの移動操作を検出する移動操作検出部と、
前記携帯端末に対する前記ユーザの使用を制限する制限部と、
前記ユーザの使用が制限され、且つ、前記ユーザの移動停止が検出されている間、質問型コンテンツを再生するコンテンツ再生部と、
を備え、
前記質問型コンテンツに対する前記ユーザの回答が完了した場合、
前記コンテンツ再生部は、前記質問型コンテンツの再生を終了し、
前記制限部は、前記ユーザに対する使用の制限を解除する
ことを特徴とする携帯端末。
【請求項１０】
携帯端末に対するユーザの使用を制限するためのプログラムであって、
前記携帯端末に対するユーザの移動操作を検出する検出ステップと、
前記携帯端末に対する前記ユーザの使用を制限する制限ステップと、
前記ユーザの使用が制限され、且つ、前記ユーザの移動停止が検出されている間、質問型コンテンツを再生する再生ステップと、
前記質問型コンテンツに対する前記ユーザの回答が完了した場合、前記質問型コンテンツの再生を終了し、前記制限を解除する解除ステップと、
を含む処理を前記携帯端末のコンピュータに実行させることを特徴とするプログラム。
【発明の詳細な説明】
【技術分野】
【０００１】
本発明は、使用制限方法、携帯端末、及びプログラムに関する。
【背景技術】
【０００２】
歩きながらスマートフォンを操作する行為、いわゆる歩きスマホは、ユーザ本人だけでなく、その周囲の人にも迷惑をかける恐れがあるため問題となっている。
【０００３】
この対策として、例えば特許文献１には、スマートフォン等の端末装置のユーザが歩行中であり、且つ、表示部を注視状態である場合、端末装置の操作性を低下させ、それを解除するために、端末装置を振り上げる動作等の課題をユーザに要求する技術が記載されている。
【先行技術文献】
【特許文献】
【０００４】
【特許文献１】特開２０１９−１２９４５９号公報
【発明の概要】
【発明が解決しようとする課題】
【０００５】
特許文献１に記載されている技術の他、歩きスマホを抑止する技術は多数存在する。しかしながら、既存の技術の場合、現実問題として歩きスマホを自制できること以外、ユーザにとってのメリットが乏しいため、該技術が普及しているとは言い難い。
【０００６】
本発明は、このような状況に鑑みてなされたものであり、スマートフォン等の携帯端末に対する移動操作を抑止しつつ、ユーザや通信事業者等にとってのメリットを実現し得るシステムを提案することを目的とする。
【課題を解決するための手段】
【０００７】
本願は、上記課題の少なくとも一部を解決する手段を複数含んでいるが、その例を挙げるならば、以下のとおりである。
【０００８】
上記課題を解決すべく、本発明の一態様に係る使用制限方法は、携帯端末に対するユーザの移動操作を検出する検出ステップと、前記携帯端末に対する前記ユーザの使用を制限する制限ステップと、前記ユーザの使用が制限され、且つ、前記ユーザの移動停止が検出されている間、質問型コンテンツを再生する再生ステップと、前記質問型コンテンツに対する前記ユーザの回答が完了した場合、前記質問型コンテンツの再生を終了し、前記制限を解除する解除ステップと、を含むことを特徴とする。
【０００９】
前記制限ステップは、前記ユーザの移動操作時間が第１閾値を超えた場合、前記携帯端末に対する前記ユーザの使用を制限することができる。
【００１０】
前記解除ステップは、前記質問型コンテンツに対する前記ユーザの回答が完了し、且つ、前記ユーザの移動停止時間が第２閾値を超えた場合、前記質問型コンテンツの再生を終了し、前記制限を解除することができる。
【００１１】
使用制限方法は、前記制限の履歴に基づき、前記第１閾値、前記第２閾値、及び前記質問型コンテンツにおける質問回数の少なくとも一つを設定する条件設定ステップ、を含むことができる。
【００１２】
前記条件設定ステップは、過去における前記制限の回数が多いほど、前記第１閾値を小さく設定し、前記第２閾値を大きく設定し、前記質問型コンテンツにおける質問回数を多く設定することができる。
【００１３】
使用制限方法は、前記制限の履歴をリセットするリセットステップ、を含むことができる。
【００１４】
前記制限ステップは、前記携帯端末の現状の表示画面を消去するか、または前記表示画面に他の表示を重畳することによって前記ユーザの視認及び操作を制限することができる。
【００１５】
使用制限方法は、前記制限ステップに先行し、前記ユーザの移動操作が検知された場合、前記ユーザに対して注意喚起を行う注意喚起ステップ、を含むことができる。
【００１６】
本発明の他の態様に係る携帯端末は、携帯端末に対するユーザの移動操作を検出する移動操作検出部と、前記携帯端末に対する前記ユーザの使用を制限する制限部と、前記ユーザの使用が制限され、且つ、前記ユーザの移動停止が検出されている間、質問型コンテンツを再生するコンテンツ再生部と、を備え、前記質問型コンテンツに対する前記ユーザの回答が完了した場合、前記コンテンツ再生部は、前記質問型コンテンツの再生を終了し、前記制限部は、前記ユーザに対する使用の制限を解除することを特徴とする。
【００１７】
本発明のさらに他の態様に係るプログラムは、携帯端末に対するユーザの使用を制限するためのプログラムであって、前記携帯端末に対するユーザの移動操作を検出する検出ステップと、前記携帯端末に対する前記ユーザの使用を制限する制限ステップと、前記ユーザの使用が制限され、且つ、前記ユーザの移動停止が検出されている間、質問型コンテンツを再生する再生ステップと、前記質問型コンテンツに対する前記ユーザの回答が完了した場合、前記質問型コンテンツの再生を終了し、前記制限を解除する解除ステップと、を含む処理を前記携帯端末のコンピュータに実行させることを特徴とする。
【発明の効果】
【００１８】
本発明によれば、携帯端末に対する移動操作を抑止しつつ、ユーザや通信事業者等にとってのメリットを実現し得るシステムを提案することが可能となる。
【００１９】
上記した以外の課題、構成及び効果は、以下の実施形態の説明により明らかにされる。
【図面の簡単な説明】
【００２０】
【図１】図１は、本発明の一実施形態に係る携帯端末を含む通信システムの構成例を示す図である。
【図２】図２は、携帯端末の機能ブロックの構成例を示す図である。
【図３】図３は、条件情報の一例を示す図である。
【図４】図４は、履歴情報の一例を示す図である。
【図５】図５は、制限履歴リセット処理の一例を説明するフローチャートである。
【図６】図６は、使用制限処理の一例を説明するフローチャートである。
【図７】図７は、使用制限処理を説明するための画面の表示例を示す図である。
【発明を実施するための形態】
【００２１】
以下、本発明に係る一実施形態を図面に基づいて説明する。なお、一実施形態を説明するための全図において、同一の部材には原則として同一の符号を付し、その繰り返しの説明は省略する。また、以下の実施形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施形態において、構成要素等の形状、位置関係等に言及するときは、特に明示した場合および原理的に明らかにそうでないと考えられる場合等を除き、実質的にその形状等に近似または類似するもの等を含むものとする。
【００２２】
＜本発明の一実施形態に係る携帯端末を含む通信システムの構成例＞
図１は、本発明の一実施形態に係る携帯端末を含む通信システムの構成例を示している。
【００２３】
該通信システムは、携帯端末１０、コンテンツサーバ２０、及び通信制御サーバ３０を備える。
【００２４】
携帯端末１０には、ユーザの移動操作、いわゆる「歩きスマホ」を抑止するためのアプリケーションプログラム（以下、歩きスマホ抑止アプリと称する）が予めインストールされている。該歩きスマホ抑止アプリは、携帯端末１０の起動とともに開始され、携帯端末１０の電源がオンとされている間、継続的に実行される。歩きスマホ抑止アプリは、本発明のプログラムに相当する。
【００２５】
ただし、本実施形態における移動操作とは、歩行しながら画面を見たり、操作したりすることだけでなく、自動車、オートバイ、自転車等を運転しながら画面を見たり、操作したりすることを含む。
【００２６】
携帯端末１０としては、スマートフォンだけでなく、携帯電話、タブレット型コンピュータ、携帯ゲーム機等のユーザが携帯可能な電子機器が想定される。
【００２７】
携帯端末１０は、ネットワークＮを介して、コンテンツサーバ２０、及び通信制御サーバ３０に接続される。ネットワークＮは、携帯電話通信網、無線ＬＡＮ、インターネット等の相互無線通信網である。
【００２８】
コンテンツサーバ２０は、例えば、歩きスマホ抑止アプリの販売業者等によって管理される。コンテンツサーバ２０は、携帯端末１０にて再生される質問型コンテンツを、ネットワークＮを介して携帯端末１０に送信する。
【００２９】
通信制御サーバ３０は、例えば、通信事業者によって管理される。通信制御サーバ３０は、ネットワークＮを介する携帯端末１０による通話を制御する。また、通信制御サーバ３０は、ネットワークＮを介する携帯端末１０のデータ通信を制御する。具体的には、例えば、データ通信量に応じて通信帯域を制限したり、制限した通信帯域を解除したりする。
【００３０】
次に、図２は、携帯端末１０の機能ブロックの構成例を示している。
【００３１】
携帯端末１０は、処理部１１、記憶部１２、撮像部１３、センサ部１４、通信部１５、入力部１６、及び表示部１７を備える。
【００３２】
処理部１１は、例えばスマートフォン等が備えるＣＰＵ(Central Processing Unit)からなり、携帯端末１０の全体を統括的に制御する。また、処理部１１は、携帯端末１０に予めインストールされている歩きスマホ抑止アプリを実行することによって移動操作検出部１１１、条件設定部１１２、制限部１１３、及びコンテンツ再生部１１４を実現する。
【００３３】
移動操作検出部１１１は、撮像部１３、センサ部１４、及び入力部１６それぞれの出力に基づき、ユーザの移動操作及び移動停止を検出し、移動操作時間、及び移動停止時間を計時する。なお、移動操作検出部１１１によるユーザの移動操作及び移動停止の検出方法については、既存の技術を適宜採用することができる。
【００３４】
条件設定部１１２は、記憶部１２に記録されている条件情報１２１及び履歴情報１２２に基づき、後述する第１閾値、第２閾値、及び質問回数を設定する。
【００３５】
制限部１１３は、移動操作検出部１１１によってユーザの移動操作が検出された場合、ユーザに対して移動操作を止めるように注意喚起を行う。具体的には、例えば、現状の表示画面（例えば、メール、メッセージ、ゲーム、ＳＮＳ(Social Network System)等の画面）に重畳して注意喚起のためのメッセージ「歩きスマホは危険です！」等を表示する。
【００３６】
また、制限部１１３は、移動操作の継続時間が第１閾値を超えた場合、携帯端末１０に対するユーザの使用を制限する。具体的には、例えば、現状の表示画面を消去したり、他の画像を重畳表示したりして、現状の表示画面をユーザが視認及び操作できなくなるようにする。ただし、ユーザの使用を制限している最中であっても、緊急事態の発生に考慮して電話機能に関しては制限しないようにすることが望ましい。
【００３７】
また、制限部１１３は、携帯端末１０に対するユーザの使用を制限した履歴を表す履歴情報１２２を生成、更新する。履歴情報１２２は記憶部１２に記録される。さらに、制限部１１３は、ユーザの使用制限を解除する。
【００３８】
コンテンツ再生部１１４は、ユーザの使用が制限されており、且つ、移動操作検出部１１１によってユーザの移動停止が検出された場合、予めコンテンツサーバ２０から送信され、記憶部１２に記録されている質問型コンテンツ１２４を再生して表示画面に重畳表示する。
【００３９】
再生された質問型コンテンツ１２４では、過去の制限回数に応じて設定された質問回数だけ、ユーザに回答を求める質問を表示する。なお、ユーザに対する質問は、ランダムに決定してもよいし、日時、季節、地域等の使用環境に応じて決定してもよい。また、記憶部１２のユーザ情報１２３に記録されているユーザ属性に基づいて決定したり、また、ユーザの過去の回答に基づいて決定したりしてもよい。
【００４０】
また、コンテンツ再生部１１４は、質問型コンテンツ１２４の全質問に対してユーザが回答を完了し、且つ、移動停止時間が第２閾値を超えた場合、質問型コンテンツを終了する。
【００４１】
記憶部１２は、例えばスマートフォン等が備える半導体メモリ等からなり、処理部１１の作業域や、各種情報の保存領域として利用される。記憶部１２は、条件情報１２１、履歴情報１２２、ユーザ情報１２３、及び質問型コンテンツ１２４を記憶している。
【００４２】
図３は、条件情報１２１の一例を示している。条件情報１２１には、過去の使用制限回数を所定の規則に従ってカウントした使用制限回数カウント値に対応付けて、第１閾値、第２閾値、質問回数、及びリセット周期が記録されている。
【００４３】
第１閾値は、ユーザの移動操作時間と比較するための値である。第２閾値は、ユーザの移動停止時間と比較するための値である。質問回数は、再生された質問型コンテンツ１２４におけるユーザへの質問の回数である。リセット周期は、履歴情報１２２に記録されている使用制限回数カウント値を０にリセットする周期を表す値である。
【００４４】
第１閾値は、使用制限回数カウント値が多いほど小さい値、第２閾値は、使用制限回数カウント値が多いほど大きい値、質問回数は、使用制限回数カウント値が多いほど大きい値が記録されている。リセット周期は、使用制限回数カウント値が０〜２回までは１日、使用制限回数カウント値が３回以上は∞（リセットしないことを意味する）が記録されている。
【００４５】
同図の例では、例えば、使用制限回数カウント値が０回の場合、第１閾値は１０秒、第２閾値は５秒、質問回数は１回、リセット周期は１日とされている。また例えば、使用制限回数カウント値が１回の場合、第１閾値は９秒、第２閾値は１０秒、質問回数は２回、リセット周期は１日とされている。
【００４６】
図４は、履歴情報１２２の一例を示している。履歴情報１２２は、制限部１１３により生成、更新される。履歴情報１２２には、使用制限回数カウント値、リセット日時、並びに、過去に行われた使用制限の日時、使用制限の際に再生された質問型コンテンツ１２４における質問を表す質問ＩＤ、及び質問に対するユーザの回答が記録されている。使用制限回数カウント値は、履歴情報１２２に記録されているデータ数、すなわち、過去に行われた使用制限の回数を所定の規則に従ってカウントした値である。リセット日時は、使用制限回数カウント値が前回リセットされた日時である。
【００４７】
図２に戻る。ユーザ情報１２３には、ユーザの属性情報（年齢、性別、居住地域、使用言語、職種等）が記録されている。ユーザ情報１２３は、再生された質問型コンテンツ１２４における質問を決定する際に参照される。質問型コンテンツ１２４は、コンテンツサーバ２０が予め送信し、通信部１５が受信したものである。
【００４８】
撮像部１３は、例えばスマートフォン等が備えるカメラユニットからなり、ユーザの移動操作検出時においてユーザの顔を撮像し、撮像した画像を移動操作検出部１１１に出力する。ユーザの顔の画像は、移動操作検出の判断基準の一つとなるユーザの視線検出に用いられる。
【００４９】
センサ部１４は、例えばスマートフォン等が備える近接センサ、加速度センサ、ジャイロセンサ、ＧＰＳ(Global Positioning System)センサ等の各種センサユニットからなり、ユーザの移動操作検出時においてそれぞれのセンシング結果を移動操作検出部１１１に出力する。
【００５０】
通信部１５は、例えばスマートフォン等が備える通信モジュールからなり、ネットワークＮを介してコンテンツサーバ２０等と通信を行う。入力部１６は、例えばスマートフォン等のディスプレイに積層されたタッチパネル等からなり、ユーザの操作を受け付けて処理部１１に出力する。表示部１７は、例えばスマートフォン等が備えるディスプレイからなり、各種の画面を表示する。
【００５１】
＜携帯端末１０による制限履歴リセット処理＞
次に、携帯端末１０による制限履歴リセット処理について説明する。
【００５２】
図５は、制限履歴リセット処理の一例を説明するフローチャートである。制限履歴リセット処理は、携帯端末１０の電源がオンとされている間、継続して実行される。
【００５３】
はじめに、制限部１１３が、現在時刻を取得し、所定時刻（例えば、ＡＭ０時０分０秒）になったか否かを判定する（ステップＳ１）。制限部１１３が、現在時刻が所定時刻になっていないと判定した場合（ステップＳ１でＮＯ）、制限部１１３が、現在時刻が所定時刻になるまで現在時刻の取得を継続する。
【００５４】
その後、制限部１１３が、現在時刻が所定時刻になったと判定した場合（ステップＳ１でＹＥＳ）、記憶部１２に記録されている条件情報１２１及び履歴情報１２２を参照し、リセット周期を特定する（ステップＳ２）。
【００５５】
具体的には、制限部１１３が、履歴情報１２２に記録されている使用制限回数カウント値を読み出し、条件情報１２１を参照して、使用制限回数カウント値に対応するリセット周期を特定する。例えば、使用制限回数カウント値が２回である場合、条件情報１２１から使用制限回数２回に対応するリセット周期として１日を特定する。
【００５６】
次に、制限部１１３が、ステップＳ２で特定したリセット周期に従って履歴情報１２２に記録されている使用制限回数カウント値を０にリセットする（ステップＳ３）。具体的には、履歴情報１２２に記録されているリセット日時から現在の日時までの時間が、リセット周期以上である場合にのみ、使用制限回数カウント値を０にリセットする。反対に、履歴情報１２２に記録されているリセット日時から現在の日時までの時間が、リセット周期未満である場合には使用制限回数カウント値をリセットしない。
【００５７】
ステップＳ３の後、処理はステップＳ１に戻り、ステップＳ１以降の処理が繰り返される。
【００５８】
以上説明した制限履歴リセット処理によれば、履歴情報１２２の使用制限回数カウント値を０にリセットすることができる。ただし、使用制限回数カウント値が３回以上の場合、使用制限回数カウント値はリセットされないので、歩行操作が常習化しているユーザに対してより厳しく使用制限を行うことができる。
【００５９】
ただし、このようなユーザの救済策として、例えば、過去1か月における1日当たりの平均使用制限回数が所定数以下であった場合等の条件を満たした場合、使用制限回数カウント値を０にリセットするようにしてもよい。
【００６０】
＜携帯端末１０による使用制限処理＞
次に、携帯端末１０による使用制限処理について説明する。
【００６１】
図６は、使用制限処理の一例を説明するフローチャートである。図７は、使用制限処理を説明するための画面の表示例を示している。
【００６２】
使用制限処理は、携帯端末１０の電源がオンとされている間、継続して実行される。
【００６３】
はじめに、移動操作検出部１１１が、撮像部１３、センサ部１４、及び入力部１６それぞれの出力に基づき、ユーザの移動操作（移動停止を含む）の検出を開始する（ステップＳ１１）。次に、移動操作検出部１１１が、ユーザが移動操作中であるか否かを判定する（ステップＳ１２）。具体的には、例えば、センサ部１４によって携帯端末１０の移動が検出され、且つ、撮像部１３による撮像画像からユーザが画面を見ていることが検出されること、及び入力部１６によってユーザからの入力が検出されることの少なくとも一方が確認された場合、ユーザが移動操作中であると判定する。
【００６４】
ここで、移動操作検出部１１１が、ユーザが移動操作中ではないと判定した場合（ステップＳ１２でＮＯ）、移動操作検出部１１１が、ユーザの移動操作の検出を継続する。
【００６５】
反対に、移動操作検出部１１１が、ユーザが移動操作中であると判定した場合（ステップＳ１２でＹＥＳ）、次に、条件設定部１１２が、記憶部１２に記録されている条件情報１２１及び履歴情報１２２に基づいて各種の条件を設定する（ステップＳ１３）。
【００６６】
具体的には、履歴情報１２２から使用制限回数カウント値を読み出し、条件情報１２１から、使用制限回数カウント値に対応する第１閾値、第２閾値、及び質問回数を読み出して、第１閾値、及び第２閾値を制限部１１３に設定し、質問回数をコンテンツ再生部１１４に設定する。
【００６７】
次に、制限部１１３が、移動操作中のユーザに対して注意喚起を行う（ステップＳ１４）。具体的には、例えば、図７（Ａ）に示すような現在の表示画面（同図の例ではゲーム画面）１６１に、図７（Ｂ）に示すように、注意喚起メッセージ（同図の例では「歩きスマホは危険です！」）１６２を透過表示する。なお、注意喚起メッセージ１６２に代えてまたは加えて音声や振動により注意喚起を行ってもよい。
【００６８】
次に、移動操作検出部１１１が、移動操作時間を０にリセットしてからその計時を開始し（ステップＳ１５）、移動操作時間が第１閾値を超えたか否かを判定する（ステップＳ１６）。ここで、移動操作検出部１１１が、移動操作時間が第１閾値を超えていないと判定した場合（ステップＳ１６でＮＯ）、次に、移動操作検出部１１１が、ユーザの移動操作が継続中であるか否かを判定する（ステップＳ１７）。
【００６９】
ここで、移動操作検出部１１１が、ユーザの移動操作が継続中であると判定した場合（ステップＳ１７でＹＥＳ）、処理はステップＳ１６に戻され、ステップＳ１６、Ｓ１７が繰り返される。反対に、移動操作検出部１１１が、ユーザの移動操作が継続中ではない（ユーザが移動操作を止めた）と判定した場合（ステップＳ１７でＮＯ）、処理はステップＳ１２に戻される。
【００７０】
ユーザが移動操作を継続し、移動操作検出部１１１が、移動操作時間が第１閾値を超えたと判定した場合（ステップＳ１６でＹＥＳ）、次に、制限部１１３が、ユーザの使用を制限するとともに、履歴情報１２２を更新する（ステップＳ１８）。
【００７１】
具体的には、制限部１１３が、注意喚起メッセージ１６２を消去し、例えば、図７（Ｃ）に示すように、使用制限中である旨を表す警告メッセージ（同図の例では「使用制限中」）１６３を表示画面１６１の全体を覆うように重畳表示するとともに、ユーザの操作入力を無効とする。なお、警告メッセージ１６３に加えて音声や振動により使用制限中である旨を通知するようにしてもよい。
【００７２】
さらに、制限部１１３が、履歴情報１２２に使用制限を行った現在の日時を追記するとともに、使用制限回数カウント値に１を加算することにより、履歴情報１２２を更新する。
【００７３】
次に、移動操作検出部１１１が、ユーザの移動が停止したか否かを判定する（ステップＳ１９）。ここで、移動操作検出部１１１が、ユーザの移動が停止していないと判定した場合（ステップＳ１９でＮＯ）、処理はステップＳ１８に戻される。すなわち、ユーザに対する使用制限が継続される。
【００７４】
反対に、ユーザの移動が停止したと判定された場合（ステップＳ１９でＹＥＳ）、次に、移動操作検出部１１１が、移動停止時間を０にリセットしてからその計時を開始する（ステップＳ２０）。
【００７５】
次に、コンテンツ再生部１１４が、記憶部１２に記録されている質問型コンテンツ１２４を読み出して再生を開始する（ステップＳ２１）。再生された質問型コンテンツ１２４においては、ステップＳ１３で設定された質問回数だけ、例えば、図７（Ｄ）に示すように、ユーザに対して選択肢を提示する形式の質問１６４が順次表示される。なお、再生された質問型コンテンツ１２４に対するユーザの操作入力は有効とされ、ユーザは、各質問に対して選択肢を選択することによって回答を行うことができる。なお、再生された質問型コンテンツ１２４における質問を表す質問ＩＤ、及び質問に対するユーザの回答は、コンテンツ再生部１１４から制限部１１３に出力され、制限部１１３によって、記憶部１２の履歴情報１２２に追記される。
【００７６】
次に、コンテンツ再生部１１４が、順次表示する全ての質問に対してユーザが回答済みであるか否かを判定する（ステップＳ２２）。ここで、コンテンツ再生部１１４が、全ての質問に対してユーザが回答済みではない、すなわち、未回答の質問が残っていると判定した場合（ステップＳ２２でＮＯ）、次に、移動操作検出部１１１が、ユーザの移動停止が継続中であるか否かを判定する（ステップＳ２３）。
【００７７】
ここで、移動操作検出部１１１が、ユーザの移動停止が継続中ではない、すなわち、ユーザが移動を再開したと判定した場合（ステップＳ２３でＮＯ）、次に、コンテンツ再生部１１４が、質問型コンテンツ１２４の再生を終了する（ステップＳ２６）。この後、処理はステップＳ１８に戻される。すなわち、再びユーザの使用が制限される。
【００７８】
反対に、移動操作検出部１１１が、ユーザの移動停止が継続中であると判定された場合（ステップＳ２３でＹＥＳ）、処理はステップＳ２２に戻されて、ステップＳ２２以降が繰り返される。その後、コンテンツ再生部１１４が、全ての質問に対してユーザが回答済みであると判定した場合（ステップＳ２２でＹＥＳ）、次に、移動操作検出部１１１が、移動停止時間が第２閾値を超えたか否かを判定する（ステップＳ２４）。ここで、移動操作検出部１１１が、移動停止時間が第２閾値を超えていないと判定した場合（ステップＳ２４でＮＯ）、処理は再びステップＳ２３に進められる。
【００７９】
反対に、移動操作検出部１１１が、移動停止時間が第２閾値を超えていると判定した場合（ステップＳ２４でＹＥＳ）、次に、コンテンツ再生部１１４が、質問型コンテンツ１２４の再生を終了し、制限部１１３が、ユーザに対する使用制限を解除する（ステップＳ２５）。この後、処理はステップＳ１２に戻されて、ステップＳ１２以降が繰り返される。
【００８０】
以上説明した使用制限処理によれば、ユーザによる移動操作が検知された場合、ユーザに対して注意喚起を行うことができる。また、注意喚起が行われたにも拘らず、ユーザが移動操作を継続し、移動操作時間が第１閾値を超えた場合、ユーザの使用を制限することができる。そして、ユーザが移動を停止した場合、質問型コンテンツを再生し、ユーザが全ての質問に回答し、且つ、移動停止の時間が第２閾値を超えた場合にはユーザの使用制限を解除することができる。なお、未回答の質問があったり、ユーザの移動が再開したりした場合には使用制限を継続することができる。これにより、ユーザの移動操作を抑止することができる。
【００８１】
＜変形例＞
上述した使用制限処理では、ユーザが全ての質問に回答し、且つ、移動停止時間が第２閾値を超えた場合にはユーザの使用制限を解除するようにしたが、例えば、質問型コンテンツを通じて、ユーザが災害等に対する寄付金や課金に応じた場合には使用制限を解除するようにしてもよい。
【００８２】
ユーザに対する使用制限として、例えば、ネットワークＮを介するデータの通信帯域を制限するようにしてもよい。通信帯域の制限は、制限部１１３が通信部１５を制御して行ってもよいし、通信制御サーバ３０と連携し、通信制御サーバ３０が行うようにしてもよい。
【００８３】
＜質問型コンテンツについて＞
使用制限が行われている間に再生される質問型コンテンツは、例えば、公共広告や企業広告として利用することができる。具体的には、例えば、歩きスマホ抑止アプリをプリインストールしたスマートフォンを販売する通信事業者等が広告主（行政、企業等）を募り、集めた広告料の一部を通信費等の値引きやポイント等としてユーザに還元するようにしてもよい。これにより、ユーザ、通信事業者等、広告主のいずれもがメリットを得ることができる。
【００８４】
公共広告としては、以下のような例が想定される。
・歩きスマホを警告する広告
例えば「今年の歩きスマホ事故１０００件発生、次の加害者はあなたですか？」
例えば「歩きスマホで通行人に怪我をさせた場合、過失傷害罪、罰金３０万円又は科料です。知っていましたか？」
・指名手配犯、逃走犯の情報を求める広告
例えば「この顔に見覚え有りませんか？」、この広告に対して「ＹＥＳ」の回答が得られた場合、電話機能により警察１１０番に発信するようにしてもよい。
・選挙投票の促進する広告
例えば「投票に行きましたか？」、この広告に対して「ＮＯ」の回答が得られた場合、地図アプリケーションを起動し、投票所の位置を表示するようにしてもよい。
・年金手続きを促す広告
例えば「年金受給手続きは完了していますか？」、この広告に対して「ＮＯ」の回答が得られた場合、ブラウザを起動し、関連するＷＥＢページを表示するようにしてもよい。
・確定申告を促す広告
例えば「確定申告は済みましたか？」、この広告に対して「ＮＯ」の回答が得られた場合、ブラウザを起動し、関連するＷＥＢページを表示するようにしてもよい。
・予防接種を促す広告
例えば「インフルエンザ予防接種を受けましたか？」、この広告に対して「ＮＯ」の回答が得られた場合、ブラウザを起動し、関連するＷＥＢページを表示するようにしてもよい。
【００８５】
企業広告としては、以下のような例が想定される。
・新商品の広告
例えば「ＸＸが発売されました。興味ありますか？」、この広告に対して「ＹＥＳ」の回答が得られた場合、ブラウザを起動し、関連するＷＥＢページを表示するようにしてもよい。
【００８６】
本明細書に記載された効果はあくまで例示であって限定されるものではなく、他の効果があってもよい。
【００８７】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【符号の説明】
【００８８】
１０・・・携帯端末、１１・・・処理部、１２・・・記憶部、１３・・・撮像部、１４・・・センサ部、１５・・・通信部、１６・・・入力部、１７・・・表示部、２０・・・コンテンツサーバ、３０・・・通信制御サーバ、１１１・・・移動操作検出部、１１２・・・条件設定部、１１３・・・制限部、１１４・・・コンテンツ再生部、１２１・・・条件情報、１２２・・・履歴情報、１２３・・・ユーザ情報、１２４・・・質問型コンテンツ、１６１・・・表示画面、１６２・・・注意喚起メッセージ、１６３・・・警告メッセージ、１６４・・・質問、Ｎ・・・ネットワーク
【要約】
【課題】  移動操作を抑止しつつ、ユーザや通信事業者等にとってのメリットを実現し得るシステムを提案する。
【解決手段】  携帯端末の使用制限方法は、前記携帯端末に対するユーザの移動操作を検出する検出ステップと、前記携帯端末に対する前記ユーザの使用を制限する制限ステップと、前記ユーザの使用が制限され、且つ、前記ユーザの移動停止が検出されている間、質問型コンテンツを再生する再生ステップと、前記質問型コンテンツに対する前記ユーザの回答が完了した場合、前記質問型コンテンツの再生を終了し、前記制限を解除する解除ステップと、を含むことを特徴とする。
【選択図】  図６【図１】
0006688519.tif 000002
【図２】
0006688519.tif 000003
【図３】
0006688519.tif 000004
【図４】
0006688519.tif 000005
【図５】
0006688519.tif 000006
【図６】
0006688519.tif 000007
【図７】
0006688519.tif 000008